(57)【要約】【課題】宅地内に降った雨水を配管内に一時貯溜したのち、徐々に道路の側溝や雨水排水本管に流出させて都市型洪水を緩和することができる雨水排水配管構造を提供する。【解決手段】雨水桝１と雨水桝１を排水管２で接続した雨水排水配管構造であって、下流側に位置する雨水桝１の流入口１ａ、又は、下流側に位置する雨水桝１の流入口１ａに接続された排水管２端部に、配管内に流入した雨水を一時貯溜するための堰３を設けると共に、その堰３に一時貯溜した雨水を徐々に排出するための孔３ａを穿孔した構成とする。下流側に位置する雨水桝１の流入口１ａ、又は、下流側に位置する雨水桝１の流入口１ａに接続された排水管２端部に設けられた堰３によって雨水は堰止められて雨水は一時貯溜されるたのち、一時貯溜された雨水は、堰３に設けられた孔３ａより徐々に雨水桝１を介して雨水排水本管９へ排出される。【選択図】図１
2010127020.tif 000002
【特許請求の範囲】
【請求項１】
雨水桝と雨水桝を排水管で接続した雨水排水配管構造であって、下流側に位置する雨水桝の流入口、又は、下流側に位置する雨水桝の流入口に接続された排水管端部に、配管内に流入した雨水を一時貯溜するための堰を設けると共に、その堰に一時貯溜した雨水を徐々に排出するための孔を穿孔したことを特徴とする雨水排水配管構造。
【請求項２】
孔の底部が、下流側に位置する雨水桝の流入口の管底、又は、下流側に位置する雨水桝の流入口に接続された排水管端部の管底と同じ高さであることを特徴とする請求項１に記載の雨水排水配管構造。
【請求項３】
堰が着脱可能に設けられていることを特徴とする請求項１又は請求項２に記載の雨水排水配管構造。
【請求項４】
堰が、下流側に位置する雨水桝の流入口、又は、下流側に位置する雨水桝の流入口に接続された排水管端部に取付けられた取付け部材を介して着脱可能に設けられていることを特徴とする請求項１ないし請求項３のいずれかに記載の雨水排水配管構造。
【請求項５】
堰が水密的に設けられていることを特徴とする請求項１ないし請求項４のいずれかに記載の雨水排水配管構造。
【発明の詳細な説明】
【技術分野】
【０００１】
本発明は、集中豪雨時の河川や下水道施設への負荷を低減させる雨水排水配管構造に関するものである。
【背景技術】
【０００２】
近年、道路や空き地（駐車場等）の舗装化が急速に進み、未舗装部分が殆どない都市化の進んだ地域が増えてきている。このような地域では、雨水が殆ど地中に浸透することなく、道路の側溝や下水道排水管などを通じて河川へ流れ込むため、短時間で河川の容量を超えて所謂、都市型洪水を引き起こし、社会問題となってきている。この問題は、地球温暖化が要因とも言われる昨今の異常気象に伴い、これから益々深刻化していくものと思われる。
【０００３】
このような問題を緩和するため、宅地内の最終雨水桝と公共用雨水桝との間にオーバーフロー部材を、その下縁を宅内集水経路よりも上方に位置させて配設することにより、宅地内の最終雨水桝内と宅内集水経路内に、雨水を一定量貯溜可能とした住宅用雨水貯溜システムが提案された（特許文献１）。
【０００４】
この住宅用雨水貯溜システムは、宅内集水経路の高さに合わせて、オーバーフロー部材にオリフィスを形成し、宅地内の最終雨水桝と宅内集水経路内に貯溜した雨水を上記オリフィスから徐々に排出するようになっている。これにより、家屋に降った雨水が、宅内集水経路を経て道路の側溝や下水道排水管に一気に流出するのを抑制し、集中豪雨時の河川や下水道施設への負荷を低減させることができる。
【特許文献１】特開２００６−１６９７７４号公報
【発明の開示】
【発明が解決しようとする課題】
【０００５】
しかしながら、上記住宅用雨水貯溜システムは、宅地内の最終雨水桝と公共用雨水桝との間に配設されるオーバーフロー部材が、上流側継手部材、下流側継手部材、塩ビ直管、塩ビ細管から構成されたものであり、部品点数が多いためコストがかかるという問題があった。また、このオーバーフロー部材を宅地内の既設の最終雨水桝と公共用雨水桝との間に配設するには、地面の掘削や配管の変更等の大がかりな土木工事が必要となるため、コストがかかると共に工期が非常に長くなるという問題もあった。更に、貯溜した雨水を排出するためのオリフィスが詰まってしまうと、オーバーフロー部材を配設するのと同様に土木工事が必要となるため、メンテナンスが非常に困難であるという問題もあった。特に、この住宅用雨水貯溜システムは、上流側継手部材からオーバーフローした雨水を下流側継手部材へと排出する塩ビ直管が、宅内集水経路よりも上方に位置するという構造上（図１参照）、オーバーフロー部材に雨水が流入するのは台風などの稀なケースに限られ、通常の降雨ではオリフィスからのみの排出となって負担がかかるため、オリフィスが詰まり易く、メンテナンスが困難であるというのは到底無視できない問題である。
【０００６】
本発明は上記の問題に鑑みてなされたもので、その解決しようとする課題は、宅地内に降った雨水を配管内に一時貯溜したのち、徐々に道路の側溝や雨水排水本管に流出させて都市型洪水を緩和することができる、安価で施工やメンテナンスが容易な雨水排水配管構造を提供することにある。
【課題を解決するための手段】
【０００７】
上記目的を達成するため、本発明に係る雨水排水配管構造は、雨水桝と雨水桝を排水管で接続した雨水排水配管構造であって、下流側に位置する雨水桝の流入口、又は、下流側に位置する雨水桝の流入口に接続された排水管端部に、配管内に流入した雨水を一時貯溜するための堰を設けると共に、その堰に一時貯溜した雨水を徐々に排出するための孔を穿孔したことを特徴とするものである。
【０００８】
本発明の雨水排水配管構造においては、孔の底部が、下流側に位置する雨水桝の流入口の管底、又は、下流側に位置する雨水桝の流入口に接続された排水管端部の管底と同じ高さであることが好ましい。また、堰が着脱可能に設けられていることが好ましく、堰が、下流側に位置する雨水桝の流入口、又は、下流側に位置する雨水桝の流入口に接続された排水管端部に取付けられた取付け部材を介して着脱可能に設けられていることがより好ましい。更に、堰が水密的に設けられている雨水排水配管構造が好ましい。
【発明の効果】
【０００９】
本発明の雨水排水配管構造は、下流側に位置する雨水桝の流入口、又は、下流側に位置する雨水桝の流入口に接続された排水管端部に設けられた堰によって雨水は堰止められ、その堰から上流側の雨水は一時貯溜される。このように、堰の上流側の配管内に一時的に一定量の雨水が貯溜されることで、一気に大量の雨水が河川へ流入するのを防止することができる。また、雨がやむと、配管内に一時貯溜された雨水は、堰に設けられた孔より徐々に雨水桝を介して雨水排水本管へ排出されて、次の雨に備えることができる。この雨水排水配管構造は、堰より上側は開口しているので、台風などの集中豪雨の際は、その開口部分から雨水が排出され、雨水の流れを無理に遮ることなく、配管内が満水になって上流側に位置する雨水桝から雨水が溢れてしまう心配もない。
一方、施工に際しては、下流側に位置する雨水桝の流入口、又は、下流側に位置する雨水桝の流入口に接続された排水管端部に堰を設けるだけなので、面倒な土木工事をしなくても既設の雨水排水配管にも簡単に後付けすることができて、短期間の簡易な施工で実施することが可能となり、コストを抑えることができる。
【００１０】
また、孔の底部が、下流側に位置する雨水桝の流入口の管底、又は、下流側に位置する雨水桝の流入口に接続された排水管端部の管底と同じ高さである雨水排水配管構造は、この位置に一時貯溜した雨水を徐々に排出するための孔を穿孔することで、配管内に一時貯溜した雨水が滞溜することなく全て流出されるようになり、配管内が空水状態で次の雨に備えることができる。
【００１１】
更に、堰が着脱可能に設けられている雨水排水配管構造は、堰を着脱可能にすることで、雨水を排出する孔や、雨水桝と雨水桝を接続する排水管など雨水排水配管内のメンテナンスがより容易となる。
【００１２】
特に、堰が、下流側に位置する雨水桝の流入口、又は、下流側に位置する雨水桝の流入口に接続された排水管端部に取付けられた取付け部材を介して着脱可能に設けられている雨水排水配管構造は、例えば、取付け部材に堰を取付けるための溝を形成したりすると、その溝に堰を挿入するだけで、堰が雨水に流されてしまうのを防止することができるようになる。
【００１３】
また、堰が水密的に設けられている雨水排水配管構造のように、堰と下流側に位置する雨水桝の流入口、又は、堰と下流側に位置する雨水桝の流入口に接続された排水管端部との境目部分からの雨水の流出を防ぐことで、より確実に雨水を一時貯溜して雨水の流出を抑制し、河川や下水道施設への負荷を低減させることができるようになる。
【発明を実施するための最良の形態】
【００１４】
以下、図面を参照して本発明の具体的な実施形態を詳述する。
【００１５】
図１は本発明の一実施形態に係る雨水排水配管構造を示す概略斜視図、図２は同配管構造の要部を示す概略断面図、図３は図２の部分拡大図、図４は同配管構造に用いる堰を示すものであって、（ａ）は正面図、（ｂ）は平面図、図５は同配管構造に用いる取付け部材を雨水桝に接続された排水管に取付けた状態を示す部分断面図、図６は同取付け部材に堰を取付けた状態を示す正面図である。
【００１６】
本発明の雨水排水配管構造（以下、単に配管構造という。）は、図１に示すように、２つ以上の雨水桝１が排水管２によって接続され、それらの排水配管が継手８を介して公共の雨水排水本管９や側溝（不図示）へ接続されている宅地内において、宅地内の最も下流側に位置する雨水桝１に接続された排水管２の端部に堰３を設けたものである。
【００１７】
この配管構造において、宅地内の家屋７に降った雨水は、家屋７の屋根７ａを流下して屋根７ａの周囲に設けられた軒樋５に流入し、堅樋６を経由して宅地内の排水管２から雨水桝１に集水されて、公共の雨水排水本管９を通じて河川や下水道施設に排出される。また、図３に示すように、雨水桝１の蓋体１Ｂには、多数の浸透孔１ｃが穿孔されているので、宅地内（庭等）に降った雨水もその浸透孔１ｃを通して雨水桝１に流入し、河川や下水道施設に流出するようになっている。
【００１８】
上記配管構造に用いられる雨水桝１は、雨水桝１の桝本体１Ａにホールソーなどで孔を穿孔することにより流入口１ａ及び流出口１ｂが設けられており、図３に示すように、その流入口１ａ、流出口１ｂには、水密性を向上させるための環状のシールパッキン１ｄがそれぞれ取付けられている。そして、図２に示すように、上流側に位置する雨水桝１の流出口１ｂと、下流側に位置する雨水桝１の流入口１ａに、上流側から下流側にかけて１／１００〜３／１００程度の流れ勾配をつけながら排水管２を挿入することで、雨水桝１と雨水桝１は水密的に接続されている。
尚、予め流入口１ａや流出口１ｂが穿孔された雨水桝を用いてもよいが、本実施形態のように、施工現場で流入口１ａ、流出口１ｂを穿孔することで、配管の自由度が向上するので好ましい。
また、雨水桝１の材質については特に限定されるものではないが、耐久性や施工性を考慮すると、ポリプロピレン樹脂製のものが好適に用いられる。
【００１９】
本発明の配管構造は、上記のような配管設備を備えた宅地内において、台風などの集中豪雨時に、雨水が河川や下水道施設へ一気に流出するのを防ぐため、宅地内の最も下流側に位置する雨水桝１の流入口１ａに接続された排水管２の端部に、次に説明する雨水を配管内に一時貯溜するための堰３を設けたものである。
【００２０】
即ち、最も下流側に位置する雨水桝１の流入口１ａに接続された排水管２の端部に設けられる堰３は、図４の（ａ），（ｂ）、図６に示すように、排水管２の開口の下側半分を塞ぐ半円形の板体で、その外周面には、後述する取付け部材４の凹溝４ａと嵌合する凸条３ｂが突設されている。また、この堰３の下部には、堰３で一時貯溜した雨水を徐々に排出するための小径の孔３ａが１つ穿孔されている。堰３に穿孔された孔３ａは、図３に示すように、その孔３ａの底部が、下流側に位置する雨水桝１の流入口１ａに接続された排水管２の管底と同じ高さとなるように形成されており、この位置に孔３ａを穿孔することで、配管内に一時貯溜した雨水は滞溜することなく全て排出されて、次の雨までに再び堰３より上流側の配管内に雨水を一時貯溜することができるようなる。
【００２１】
上記構成の堰３は、後述する取付け部材４を介して排水管２の端部に着脱可能に設けられて、宅地内に降った雨水を堰３より上流側の配管内に一時的に貯溜することにより、河川や下水道施設へ雨水が一気に流出するのを抑制するものである。従って、堰３に穿孔した孔３ａの直径が大きすぎると、堰３より上流側の配管内に一時貯溜した雨水が孔３ａから勢いよく排出されて、雨水の流出を抑制する効果が少なくなってしまうので好ましくない。反対に孔３ａの直径が小さすぎると、雨水の流出量が少なくなりすぎて雨水が充分に排出されず、堰３より上流側に一時貯溜された雨水が行き場を失って堰３から溢れ、開口部分１２から排出されてしまうことになるので、雨水の流出を抑制する効果が少なくなってしまう。更に、孔３ａの直径が小さすぎると、孔３ａがゴミ等で詰まり易くなるという不具合も生じるので、これらを考慮して、孔３ａの直径は３〜２０ｍｍ程度に形成されている。
尚、本実施形態の堰３には、孔３ａが一つだけ穿孔されているが、孔３ａの直径を小さくして複数穿孔してもよい。また、孔３ａの底部が排水管２の管底と同じ高さであれば形状も円形に限定されるものではなく、例えば三日月のような形状に穿孔してもよい。
【００２２】
また、上記堰３の形状を半円形よりも円形に近づけて開口部分１２を小さくすると、堰３より上流側の貯溜量が増えて雨水の流出をより抑制することができるようになるし、開口部分１２の大きい堰３を形成すると、雨水の一時貯溜量を少なくすることもできるようになる。更に、堰３に穿孔した孔３ａの形状や大きさを変えることによっても、雨水の流出量を調整することができるので、施工する地域（雨量が多い地域や少ない地域）に合致した配管構造を簡単に提供することができる。
【００２３】
以上のような構成の堰３を排水管２端部に設けるための取付け部材４は、図５、図６に示すように、蹄状をしたもので、その内周面には、前述した堰３の外周面に突設された凸条３ｂと嵌合する凹溝４ａが形成されている。この凹溝４ａには、半環状のパッキン４ｂが嵌着されており、このように凹溝４ａに半環状のパッキン４ｂを嵌着することで水密性が向上し、堰３を取付け部材４に取付けたとき、隙間から雨水が漏れるのを防止することができるようになるので、堰３より上流側の配管内に雨水を確実に一時貯溜することができるようになる。
【００２４】
上記取付け部材４は、図５に示すように、最も下流側に位置する雨水桝１の流入口１ａに接続された排水管２の端部に接着剤等を塗布するなどして水密的に取付けられる。そして、前述した堰３の凸条３ｂを、上方から取付け部材４の凹溝４ａに挿入すると、凸条３ｂと凹溝４ａとが嵌合し、簡単に堰３を取付け部材４に取付けることができる。しかも、凸条３ｂと凹溝４ａが確実に嵌合するので、堰３が雨水の流れに押されて取付け部材４から外れてしまう心配もない。一方、堰３は、上方へ引き上げるだけで簡単に取付け部材４から取り外すことができるので、雨水を排出する孔３ａ、雨水桝１と雨水桝１を接続する排水管２、堰３に溜まったゴミ掃除など、配管内のメンテナンスを簡単に行うことができる。
【００２５】
上記のように、本発明の配管構造の要部である堰３は、取付け部材４を介して、最も下流側に位置する雨水桝１に接続された排水管２の端部に着脱可能に設けられている。排水管２の端部に堰３を設けると、図２、図６に示すように、排水管２の開口の下側半分を堰３が塞いで雨水を堰止めするので、雨水は堰３から上流側の配管内に一時貯溜される。このように、堰３の上流側の配管内に一時的に雨水を貯溜すると、台風などの集中豪雨時に、大量の雨水が雨水排水本管９を介して一気に河川や下水道施設へ流出するのが抑制されるので、都市型洪水を緩和することができるようになる。この堰３を設けたとしても、上記のように堰３より上側部分は開口しているので、台風などの集中豪雨時は、その開口部分１２から雨水は排出されて、配管内が満水になって上流側に位置する雨水桝１が溢れてしまったり雨水が逆流したりする心配もない。一方、雨がやむと、配管内に一時貯溜された雨水は、堰３に設けられた孔３ａより徐々に雨水桝１を介して雨水排水本管９へ排出されて配管内は空水となるので、次の雨に備えることができる。
尚、孔のない堰を排水管２の端部に設けた場合には、配管内に一時貯溜された雨水は徐々に流出することがないため、雨水桝１から容易に取水することができ、貯溜された雨水を庭の水遣りなど有効に利用することが可能となるのは言うまでもない。
【００２６】
また、上記の堰３は、図７に示すような取付け部材４０を介して排水管２の端部に設けることもできる。この取付け部材４０は、前述した取付け部材４を排水管２の端面から下流側に延設して、堰３の凸条３ｂと嵌合する凹溝４ａや水密性を向上させる半環状のパッキン４ｂを、排水管２の端面から下流側にシフトさせて形成したものである。この取付け部材４０は、排水管２の端部に取付けたときに、雨水が滞溜するスペースが生じないように段差を設けながら延設されている。これによって、取付け部材４０に堰３を取付けたとき、孔３ａの底部が排水管２の管底と同じ高さになっている。
この取付け部材４０のその他の構成は前述した取付け部材４と同様であるので、同一部材に同一符号を附して説明を省略する。
【００２７】
前述した取付け部材４を用いて堰３を設けると、排水管２の開口断面積を半分塞いでしまうことになるが、上記の取付け部材４０を用いて排水管２の端部に堰３を設けると、堰３が排水管２の端面から下流側へシフトするので、排水管２の開口断面積の半分に加えて、上から見たときのシフトした分だけの面積が開口して開口部分１２が増大するため、排水管２の開口断面積を縮小させなくてすむ。即ち、雨水を一時貯溜しながらも、開口部分１２からオーバーフローする雨水の流れを阻害しにくいという効果が得られる。更にその効果を増すために、堰３の上部を下流側に倒して堰３を傾斜させて設けてもよい（不図示）。
【００２８】
上記２つの実施形態の配管構造に用いる堰３は、排水管２の端部に設けられるものであるが、図８に示すような公共の雨水桝１０に接続された排水管２の端部には設けることができない。図８に示す公共の雨水桝１０は、流入口１０ａ及び流出口１０ｂが桝本体１０Ａより突設されたものであって、この公共の雨水桝１０に排水管２を接続すると、排水管２の端部は、流入口１０ａの先端に形成された挿入口１１ａに当接してしまうので、このようなタイプの公共の雨水桝１０には、図９、図１０、図１１に示す堰３０と取付け部材４１を用いればよい。
【００２９】
図９の（ａ），（ｂ）に示す堰３０は、後述する取付け部材４１に取付けたときに、取付け部材４１の係合突片４ｄと干渉しないように平面視が略逆凸型に形成されたもので、前述した堰３と同様に半円形の板体であって、その外周面には凸条３ｂが突設されている。また、その下部には孔３ａが穿孔されている。
尚、この実施形態のように、堰３０を公共の雨水桝１０の流入口１０ａに設ける場合は、堰３０の孔３ａの底部と公共の雨水桝１０の流入口１０ａの管底とが同じ高さに穿孔する必要がある。
この堰３０のその他の構成は前述した堰３と同様であるので、同一部材に同一符号を附して説明を省略する。
【００３０】
上記堰３０を雨水桝１０に設けるための取付け部材４１は、図１０、図１１に示すように、前述した取付け部材４の外周面に、雨水桝１０内面の流入口１０ａの周囲面に当接する鍔部４ｃと、前述した取付け部材４の内周に、流入口１０ａに挿入して係合する係合突片４ｄが形成されたものである。この係合突片４ｄは、取付け部材４１を雨水桝１０の流入口１０ａに取付けたときに、雨水の流れを阻害しないよう、取付け部材４１の内周面の全域ではなく、２ヶ所に分断されて設けられている。
この取付け部材４１のその他の構成は前述した取付け部材４と同様であるので、同一部材に同一符号を附して説明を省略する。
【００３１】
上記堰３０と取付け部材４１は、まず、取付け部材４１の鍔部４ｃに接着剤を塗布し、係合突片４ｄを公共の雨水桝１０の流入口１０ａに挿入して係合させると共に、公共の雨水桝１０の流入口１０ａの周囲面に鍔部４ｃを当接させることにより、取付け部材４１を流入口１０ａの根元部分（桝本体１０Ａ側）に取付ける。そして、堰３０の凸条３ｂを取付け部材４１の凹溝４ａに上方から挿入して、凸条３ｂと凹溝４ａを嵌合させることによって、取付け部材４１に堰３０を取付ける。このようにすると、上記公共の雨水桝１０のように、流入口１０ａが突設された雨水桝にも堰３０を着脱可能に設けることができる。
尚、図示はしないが取付け部材４１も前述した取付け部材４０と同様に、堰３０を流入口１０ａの根元部分（桝本体１０Ａ側）から下流側へシフトさせて設けることができるように形成してもよいのは言うまでもない。
【００３２】
上記２つの実施形態の配管構造は、配管内に一時貯溜するための堰３を、取付け部材４を介して排水管２の端部に設けたものであるが、例えば、図１２に示すような堰３１を用いると、排水管２の端部に直接設けることができる。
【００３３】
図１２に示す堰３１は、排水管２を内嵌合する円筒体で、その一端には、円筒体の開口の下側半分を塞ぐ半円形状の堰本体３１ａが形成されており、その堰本体３１ａによって配管内の雨水を一時貯溜するようになっている。堰本体３１ａの下部には前述した堰３と同じ孔３ａが穿孔されており、堰３１によって一時貯溜された雨水を徐々に雨水桝１に排出するようになっている。
尚、この実施形態に用いる堰３１は、雨水の流れに押されて排水管２から外れてしまう恐れがあるので、堰３１と排水管２の上部に孔を穿孔して、図１３に示すように、ボルト１３ａとナット１３ｂによって外れないように取付けられている。また、前述した取付け部材４０と同様に、堰３１の堰本体３１ａを下流側へシフトさせて設けてもよい。（不図示）
【００３４】
上記のような堰３１を用いると、前述した堰３よりも排水管２から取り外すのに手間がかかるので、メンテナンス性は多少劣るが、排水管２に取付けるのが簡単であるため、施工性には優れるといった利点がある。
尚、堰３１は、メンテナンスの際に取り外しができるように、接着剤を用いずに、上記のようにボルト１３ａとナット１３ｂによって設けることが好ましい。また、その他にも、堰３１と排水管２の端部に、それぞれ係止部と被係止部を設けて固定する方法も考えられる。
【００３５】
前述した他にも、雨水を堰止めて配管内に雨水を一時貯溜するための堰を、雨水桝１の流入口１ａ、又は、雨水桝１の流入口１ａに接続された排水管２の端部に設ける種々の実施形態が考えられる。例えば、雨水桝１の流入口１ａに堰３が一体成形された雨水桝や、排水管２の端部に堰３が一体成形された排水管を用いて堰３を設けるなどの方法も考えられるが、前述した実施形態のように、雨水桝１又は排水管２とは別体に堰３を形成し、あとから堰３を設けるほうが、施工性に優れ、コストを抑えることもできるので好ましい。
【００３６】
更に本発明の配管構造においては、上記のように排水管２の端部に堰３を設けると共に、雨水桝１の桝本体１Ａの側面にも複数の浸透孔を穿孔して雨水桝１を浸透桝とし、排水管２にも複数の浸透孔を穿孔して排水管２を浸透管とすると、雨水は堰３に穿孔された孔３ａ以外からも徐々に排出されるので、堰３（堰３１の場合は堰本体３１ａ）の高さを高くするなどして配管内の貯溜量を増やすことが可能となり、より雨水の流出を抑制する効果を大きくすることもできる。また、このようにすると地表に降った雨水は、地表面から地中へ浸透し、浸透桝や浸透管に穿孔された孔から浸透桝や浸透管へ浸透するため、効率よく配管内に一時貯溜することができる。排水管２を浸透管とした場合は流れ勾配を無しにしてもよいし、施工高さも徐々に下げる必要はなく同じ高さでよい。
尚、堰３（堰３１の場合は堰本体３１ａ）の高さを高くする場合は、前述した取付け部材４０に取付けられた堰３のように、堰３を下流側へシフトさせて開口部分１２を増大させ、排水管２の開口断面積を縮小しないようにすることが好ましい。
また、本実施形態では、宅地内の最も下流側に位置する雨水桝１を選択しているが、貯溜したい量やメンテナンスの容易性などを考慮して堰３を設ける雨水桝１は任意に選択すればよい。
【００３７】
以上の説明から明らかなように、本発明の雨水排水配管構造は、最も下流側に位置する雨水桝１に接続された排水管２の端部に堰３を設けることで、宅地内に降った雨水を配管内（堰３より上流側に位置する雨水桝１や排水管２）に一時貯溜することができるようになる。このように、配管内に雨水を一時貯溜したのち、堰３に穿孔された孔３ａより徐々に雨水排水本管９や道路の側溝（不図示）に流出させることで、昨今深刻な問題となっている都市型洪水を緩和することができるようになる。
一方、施工に際しては、雨水桝１に接続された排水管２の端部に取付けられた取付け部材４を介して堰３を設けるだけなので、地面を掘削するなどの面倒な土木工事なしに雨水桝１の蓋体１Ｂを取り外すだけで簡単に施工でき、既設の雨水排水配管にも簡単に後付けすることができるので、コストを抑え工期を短縮することができる、といった顕著な効果を奏する。
【図面の簡単な説明】
【００３８】
【図１】本発明の一実施形態に係る雨水排水配管構造を示す概略斜視図、図２は同配管構造の要部を示す概略断面図である。
【図２】同配管構造の要部を示す概略断面図である。
【図３】図２の部分拡大図である。
【図４】同配管構造に用いる堰を示すものであって、（ａ）は正面図、（ｂ）は平面図である。
【図５】同配管構造に用いる取付け部材を雨水桝に接続された排水管に取付けた状態を示す部分断面図である。
【図６】同取付け部材に堰を取付けた状態を示す正面図である。
【図７】本発明の他の実施形態に係る雨水排水配管構造に用いる取付け部材を排水管に取付けた状態を示す部分断面図である。
【図８】本発明の更に他の実施形態に係る雨水排水配管構造に用いる公共の雨水桝に取付け部材を取付けた状態を示す一部破断図である。
【図９】同配管構造に用いる堰を示すものであって、（ａ）は正面図、（ｂ）は平面図である。
【図１０】同配管構造に用いる取付け部材を排水管が接続された雨水桝に取付けた状態を示す部分断面図である。
【図１１】同取付け部材に堰を取付けた状態を示す正面図である。
【図１２】本発明の更に他の実施形態に係る雨水排水配管構造に用いる堰を示す斜視図である。
【図１３】同配管構造に用いる堰を排水管に取付けた状態を示す縦断面図である。
【符号の説明】
【００３９】
１    雨水桝
１０  公共の雨水桝
１Ａ，１０Ａ  桝本体
１Ｂ  蓋体
１ａ，１０ａ  流入口
１１ａ  挿入口
１ｂ，１０ｂ  流出口
１ｃ  浸透孔
１ｄ  シールパッキン
２    排水管
３，３０，３１  堰
３１ａ  堰本体
３ａ  孔
３ｂ  凸条
４，４０，４１  取付け部材
４ａ  凹溝
４ｂ  半環状のパッキン
４ｃ  鍔部
４ｄ  係合突片
５    軒樋
６    堅樋
７    家屋
７ａ  屋根
８    継手
９    雨水排水本管
１２  開口部分
１３ａ  ボルト
１３ｂ  ナット
【図１】
2010127020.tif 000003
【図２】
2010127020.tif 000004
【図３】
2010127020.tif 000005
【図４】
2010127020.tif 000006
【図５】
2010127020.tif 000007
【図６】
2010127020.tif 000008
【図７】
2010127020.tif 000009
【図８】
2010127020.tif 000010
【図９】
2010127020.tif 000011
【図１０】
2010127020.tif 000012
【図１１】
2010127020.tif 000013
【図１２】
2010127020.tif 000014
【図１３】
2010127020.tif 000015